(57)【要約】ブラシヘッドは、ブラシヘッドの回転又は振動によって、房および／またはフィラメントの動きが有益な動きとなるように、構成され、配置されている。そのようなブラシヘッドは、同一の特性（例えば、材料、直径、高さなど）を有する毛の房を含み、一方、他のブラシヘッドは、異なる特性（例えば、材料、直径、高さなど）を有する複数の毛を有する房を含む。その特性は、房毎または各房内で異なってもよい。毛の高さは、平坦でない面を持つブラシヘッドを用い、その表面に逆立てられることで変化させてもよく、異なる高さに毛をトリミングすること等によって、変えてもよい。これらの構成およびその他の構成の結果として、個々の毛、及び、房の全部又は房のグループは、3次元の動作をブラシに提供する。3次元の、房および／または毛の動きにより、被験者の皮膚へのクリーニング性、マッサージ性、および／または、角質除去性を向上させることができる。
2016522061.tif 000002
【特許請求の範囲】
【請求項１】
ブラシ土台に固定された、複数の房を備えるブラシヘッドであり、
各房は、複数の毛を備え、複数の毛は、それぞれ、固定された近位端と、前記ブラシ土台から固定されていないZ軸方向へ垂直に延在している遠位端とを有し、
前記近位端および前記遠位端の間の距離は、静止状態で、Z1であり、前記近位端および前記遠位端の間の距離は、適切な手法による回転および振動時で、Z2であり、各毛は、Z1に対するZ1-Z2の比が0.03、又はそれより大きいように構成されている、ブラシヘッド。
【請求項２】
前記複数の房は、一つまたは複数の第一房および一つまたは複数の第二房を含む、請求項1に記載のブラシヘッド
【請求項３】
前記第一房および前記第二房の遠位端は、静止状態で、同一平面にある、
請求項2に記載のブラシヘッド。
【請求項４】
前記第一房および前記第二房の遠位端は、静止状態で、非同一平面にある、
請求項2に記載のブラシヘッド。
【請求項５】
前記第一房の毛は、一つまたは複数の、毛の材料、直径、断面形状、および、毛の長さ、において、前記第二房の毛とは異なる、
請求項2に記載のブラシヘッド。
【請求項６】
適切な手法による前記回転または振動時は、約3度から約45度の間での振動時を含む、請求項1に記載のブラシヘッド。
【請求項７】
適切な手法による前記回転時または振動時は、約6度から約20度の間での振動時を含む、請求項1に記載のブラシヘッド。
【請求項８】
前記距離Z1-Z2は、約0.005インチ（0.127ミリメーター）から、約0.020インチ（5.08ミリメーター）の間である、請求項1に記載のブラシヘッド。
【請求項９】
各毛の長さは、約0.20インチ（5.08ミリメーター）から約1.20インチ（30.48ミリメーター）の間である、請求項1に記載のブラシヘッド。
【請求項１０】
前記第一房および前記第二房の静止状態での高さの間の変化は、約0.040インチ（1.016ミリメーター）と0.375インチ（9.525ミリメーター）の間である、請求項2に記載のブラシヘッド。
【請求項１１】
前記ブラシ土台は、前記毛が逆立てられている外面を含み、前記外面は、平坦ではない面である、請求項3に記載のブラシヘッド。
【請求項１２】
前記平坦ではない外面は、曲面または段差面の一つである、請求項11に記載のブラシヘッド。
【請求項１３】
前記ブラシ土台は、前記毛が逆立てられる外面を含み、前記外面は平坦な面である、請求項4に記載のブラシヘッド。
【請求項１４】
前記ブラシ土台は、前記毛が逆立てられる外面を含み、前記外面は平坦な面ではない、請求項4に記載のブラシヘッド。
【請求項１５】
複数の房を備える、ブラシヘッドであり、
前記房は、平坦なブラシ土台に固定される、少なくとも二つの異なる長さの毛、又は平坦ではないブラシ土台に固定される、前記同じ長さの毛によって形成され、前記毛の長さは、0.20インチ（5.08ミリメーター）から約1.20インチ（30.48ミリメーター）の間にあること、ブラシヘッド。
【請求項１６】
前記毛における、一つまたは複数の属性は、房ごとに変化する、
請求項15に記載のブラシヘッド。
【請求項１７】
前記一つまたは複数の属性は、毛の材料および毛の形状から構成されるグループから選択される、請求項16に記載のブラシヘッド。
【請求項１８】
電動ブラシであって、
振動モーターを有する電動ハンドルと、
前記電動ハンドルに装着され、および、約6度から約20度の間で、前記振動モーターによって振動されるように構成される、ブラシヘッドと、
前記ブラシヘッドは、一つまたは複数の第一房を有し、前記房は、ストランド長L1である複数の毛を備え、
前記複数の毛は、前記振動モーターによって回転または振動されると、一つまたは複数の毛先が、たわみの弧の長さAでゆがめられ、それによって、前記毛先と前記ブラシヘッドの間のZ軸方向の距離がYと同等の大きさに変化するように、構成され、
ストランド長L1の毛に対する距離Yの比が0.03または0.03超であることを特徴とする、電動ブラシ。
【請求項１９】
前記ブラシヘッドは、一つまたは複数の第二房を備え、各房は、各ストランド長L2である複数の毛を有することを特徴とする、請求項18に記載の電動ブラシ。
【請求項２０】
前記第一房の毛は、一つまたは複数の、毛の材料、直径、断面形状、および毛の長さにおいて、前記第二房の毛とは異なる、請求項19に記載の電動ブラシ。
【発明の詳細な説明】
【背景技術】
【０００１】
本出願は、2013年6月24日に出願された米国出願番号61／838783の利益を主張する。
洗顔のために有用な電動スキンケアブラシは、一般的には、1又は複数の駆動軸、ギア、モーターなどによって直接駆動されている。スキンブラシは、一般的には、単一のブラシヘッドを含み、上記ブラシヘッドは、一体となって動く複数の毛／フィラメントの房を有している。ブラシヘッドの中には、一方向360度で、連続的に回転するものもあり、また、一方で、選択した角度に振動するものもある。高周波のスキンブラシは、音波または音波周波数ブラシと呼ばれることが多く、そのようなブラシの周波数は、約120から300Hzの範囲である。
【発明の概要】
【０００２】
本概要は、選択されたコンセプトを簡略化された形態で紹介するために提供され、以下の詳細な説明でさらに説明される。本概要は、請求される主題の主な特徴を特定することを意図しておらず、また、請求される主題の範囲を決定する点で、助けとなるように使用されることを意図するものではない。
【０００３】
本開示の態様によれば、ブラシヘッドが提供される。ブラシヘッドは、ブラシの土台に固定された複数の房を備え、各房は、複数の毛を備え、複数の毛は、それぞれ、固定される近位端と、ブラシ土台から固定されていないZ軸方向へ垂直に延在している遠位端とを有する。ここで、近位端と遠位端との間の距離は、静止状態でZ1であり、近位端と遠位端との間のZ軸方向の距離は、適切な方法による回転または振動時で、Z2である。ある実施形態では、各毛は、Z1に対するZ1 - Z2の比が、0.03またはそれより大きくなるように構成されている。((Z1 - Z2): Z1 ≧ 0.03)
【０００４】
ある実施形態によれば、複数の房は、一つまたは複数の第一房と、一つまたは複数の第二房を含んでいる。ある実施形態では、第一房および第二房の遠位端は、静止状態で同一平面上にあるか、静止状態で非同一平面上にあるかどちらかである。
【０００５】
ある実施形態によれば、ブラシの土台は、平坦面または平坦でない面である外面を含み、その面に、毛が逆立てられている。ある実施形態では、平坦でない面の外面は曲面または段差面の一つである。
【０００６】
ある実施形態によれば、第一房の毛は、一つまたは複数の、毛の材料、直径、断面形状、および毛の長さにおいて、第二房の毛とは異なる。
【０００７】
本開示の別の態様によれば、ブラシヘッドが提供される。ブラシヘッドは、複数の房を備え、少なくとも二つの異なる長さの毛（平坦な面のブラシ土台に固定される毛）によって形成され、または、同じ長さの毛（平坦な面のブラシ土台に固定される毛）によって形成される。ある実施形態では、毛の長さは0.20インチ（5.08ミリメートル）から約1.20インチ（30.48ミリメートル）の間の範囲である。これらの実施形態の中には、一つまたは複数の毛の属性が房毎に異なるものもある。ある実施形態では、一つまたは複数の属性が、毛の材料と毛の形状から構成されるグループから選択することができる。
【０００８】
本開示のさらに別の態様によれば、電動ブラシが提供される。電動ブラシは、振動モーターを有する電動ハンドルを備え、ブラシヘッドは、電動ハンドルに装着され、約6度から約20度の間で、振動モーターによって振動するように構成される。ある実施形態で、ブラシヘッドは、一つまたは複数の第一房を備え、房は、ストランド長L1である複数の毛を有する。さらに、複数の毛は、振動モーターによって回転又は振動されると、一つまたは複数の毛先がたわみの弧の長さAでゆがめられ、それによって、毛先とブラシヘッドの間のZ軸方向の距離がYと同等の大きさに変化するように、構成される。ある実施形態では、毛のストランド長L1に対する、距離Yの比は、0.03または0.03超である。
【図面の簡単な説明】
【０００９】
前述の態様と本発明の付随する利点の多くは、添付の図面と併せて、以下の詳細な説明を参照することにより、より良い理解がなされるようになり、より容易に認識されるようになるであろう。
【００１０】
【図１】図1は、本開示の態様による3次元動作の一例を示すブラシヘッドの一例の斜視図である。
【００１１】
【図２】図2は、図1のブラシヘッドの分解図である。
【００１２】
【図３】図3は、図1のブラシヘッド等における、ブラシヘッドの上面図である。
【００１３】
【図４】図4は、駆動モーターシステムの構成要素に結合されるように適応されている、図1のブラシヘッドの断面図である。
【００１４】
【図５】図5は、本開示の態様によるブラシヘッド本体の概略図である。
【００１５】
【図６Ａ】図6Aは、図5のブラシヘッド本体の断面図である。
【００１６】
【図６Ｂ】図6Bは、複数の房が逆立てられている、図6Aのブラシヘッド本体の断面図であり、3次元動作を示すように構成されたブラシヘッド本体の断面図である。
【００１７】
【図７Ａ】図7A-7Cは、本開示の態様による3次元動作について示される逆立ちブラシヘッド本体の他の実施形態の例である。
【００１８】
【図７Ｂ】図7A-7Cは、本開示の態様による3次元動作について示される逆立ちブラシヘッド本体の他の実施形態の例である。
【００１９】
【図７Ｃ】図7A-7Cは本開示の態様による3次元動作について示される逆立ちブラシヘッド本体の他の実施形態の例である。
【００２０】
【図８Ａ】図8A-8Bは、本開示の態様による毛の「3次元動作」を描いた概略図である。
【００２１】
【図８Ｂ】図8A-8Bは、本開示の態様による毛の「3次元動作」を描いた概略図である。
【００２２】
【図９】図9は、図1のブラシヘッドを装着したパーソナルケア器具の一例の斜視図である。
【００２３】
【図１０】図10は、図9のパーソナルケア器具の斜視図であり、そこから分解されたブラシヘッドである。
【００２４】
【図１１】図11は、振動モーターにより動かされる単一のフィラメントに加えられる力に対して、フィラメントの寸法における影響を示す図である。
【００２５】
【図１２】図12は、図9のパーソナルケア器具のいくつかの構成要素の機能ブロック図である。
【発明を実施するための形態】
【００２６】
以下に述べる詳細な説明は、添付の図面に関連しており、同じ番号は同じ要素を示している。それは、開示される主題における多様な実施形態の説明として意図されたものであり、唯一の実施形態を示すことを意図するものではない。本開示で説明した各実施形態は、単に例または例示としてのみ提供され、他の実施形態よりも好ましいまたは有利であると解釈されるべきではない。本明細書で提供される例示的な例は、請求項の主題を、開示された厳密な形態に、網羅または限定するものを意図するものではない。
【００２７】
以下の説明では、スキンケアに関連するシステムおよび装置の例を提供する。より具体的には、パーソナルケア器具により電力供給されるブラシヘッドであって、振動および／または回転、ブラッシング動作を提供し、被験者の皮膚に対するクリーニング性、マッサージ性が向上されるブラシヘッドに関連するシステムおよび装置の例を提供する。ある例では、ブラシヘッドの動きは、さらに、死んだ又は損傷した皮膚の角質除去を行うこともできる。
【００２８】
本発明のブラシヘッドは、ブラシヘッドの回転または振動によって、房および／またはフィラメントの動きが有益な動きとなるように、構成され、配置されている。その点で、あるブラシヘッドは、同一の特性（例えば、材料、直径、高さなど）を有する毛（フィラメントとも呼ばれる）の房を含む。一方、他のブラシヘッドは、異なる特性（例えば、材料、直径、高さなど）を有する複数の毛を有する房を含む。その特性は、房毎または各房内で異なる場合がある。以下に、より詳細に説明されているように、毛の高さは、平坦でない面を持つブラシヘッドを用い、その表面に逆立てられることで変化させてもよく、異なる高さに毛をトリミングすること等によって、変えてもよい。
【００２９】
これらの構成およびその他の結果として、房の全部又は房のグループだけでなく、個々の毛も、ブラシに3次元動作を提供する。3次元の房および／または毛の動きにより、被験体の皮膚へのクリーニング性、マッサージ性、および／または角質除去性を向上させることができる。以下でより詳細に説明するように、3次元の毛／房の動き、または、「3次元動作」は、一つまたは複数の毛における毛先の屈曲又はホイッピングから生じ、Z軸方向の距離の変化は、概して、図8Aにある参照文字「Y」として参照することができる。このような動きは、ブラシヘッドにある毛における、位置（例：ブラシヘッド上での半径方向の位置）、材料特性（例：弾性係数、重量など）、寸法特性（例：断面形状のサイズおよび種類、長さ、等）、振動特性（例：周波数、振幅、電力等）などに、少なくとも部分的に依存している。このように、3次元動作の量または程度を幅広く変化できることを認識されるであろう。
【００３０】
毛の房を含む毛のグループは、毛毎に個々に、及び、房毎又は房グループ毎にまとまって、「3次元動作」を示すこともできる。
例えば、本明細書に記載されているいくつかの毛の属性に応じて、屈曲している毛先の量は、房内での毛毎に、房毎に、さらに、房グループ毎に変えることができる。ある例では、3次元動作は、ブラシヘッドの一つまたは複数のセクションのランダムな位置で、房毎に発生する。他の例では、3次元動作は、ブラシヘッドの一つまたは複数のセクションにおける、房の、一つまたは複数の繰り返しパターン又は繰り返しではないパターンで生じる。
【００３１】
以下に、より詳細に説明されるように、本発明のブラシヘッドは、同一または類似の特性を有する房を使用することができ、または異なる毛の特性を有する房を組み合わせることができる。本開示の実施形態は、目的とする多様な用途に適した3次元動作を実現するために、毛／房における、一つまたは複数の前述の特性を変化させることができる。本開示の他の実施形態は、目的とする多様な用途に適した3次元動作を実現するために、毛／房における、二つまたはそれ以上の前述の特性を変化させることができる。
【００３２】
ある実施形態では、異なる毛の特性（例：材料の種類、形状、断面、長さ、および／または、先端仕上げ等）の房の組み合わせにより、ある代表的なブラシヘッドはいくつかの機能を提供することを可能となる。その点で、異なる毛の特性を有する房を組み合わせたブラシヘッドは、パターン配置することができ、例えば、それは複数の有益な機能を提供することができるものである。例えば、より大きな直径の毛は、同じ種類の材料と同じ長さである場合、小さな直径の毛より、より激しく角質除去がなされる。他の実施形態において、代表的なブラシとしては、背が高い毛の房と短い毛での房を有してもよい。柔らかく優しい感触を提供するために、背の高い毛の房が採用されている。ブラッシング圧が、わずかに強めに与えられると、短い毛は、より硬く、且つより積極性が感じられ、多くの角質除去にとって、さらに適している。
【００３３】
以下の説明において、多数の具体的な詳細は、本開示の一つまたは複数の実施形態の完全な理解を提供するために記載されている。本開示の多くの実施形態が、具体的な詳細の一部または全てがなくても実施できることは、当業者には明らかであろう。また、本発明の実施形態は、本明細書に記載の特徴の任意の組合せを用いてもよいことが理解されるであろう。
【００３４】
図1を参照すると、3次元動作のブラシヘッドの一例が示され、それは、概して20で指定され、本開示の態様に従って形成されたものである。ブラシヘッド20は、図9および図10に示される器具22のようなパーソナルケア器具での使用に適している。ある実施形態のブラシヘッド20は、同一または類似の毛の特性、または異なる毛の特性、のいずれかを有する房を含んでいる。本実施形態で示されるように、ブラシヘッドは、第一グループの房58と第二グループの房60を含んでいる。使用時、ブラシヘッド20は、被験者の皮膚上で回転または振動され、それにより、少なくともいくつかの毛の房58および／または房60で被験者の皮膚をクリーニング、マッサージ、および／または角質除去等を行うための3次元動作が示される。また、房58および／または房60の毛のグループの配置は、個別に、または、まとまって、毛の特性、固定部等に応じて、3次元動作を示すことができる。
【００３５】
より詳細にブラシヘッド20を説明する前に、パーソナルケア器具22の一例のいくつかを具体的に説明する。それは、ブラシヘッド20に振動運動を付与するために用いることができる。パーソナルケア器具22は、本開示の実施形態で実施されることができる器具の一種であるが、ブラシヘッド20は、広範囲の振動または振動発生装置での使用に適していることが理解されるであろう。
【００３６】
図9および図10を参照すると、パーソナルケア器具22の一例が示されている。パーソナルケア器具22は、ハンドル部分26とヘッド取付部28を有する本体24を含む。ヘッド取付部28は、ヘッドブラシ20等のヘッドを器具に選択的に取り付けるように構成されている。器具本体24には、器具における操作ができる構造が収納されている。図12にブロック図の形で示されているように、一実施形態での操作構造は、駆動モーターアセンブリ30、充電式電池など蓄電源32、および、オンオフボタン36（図9参照）を含む駆動制御34を含み、蓄電源32から駆動モーターアセンブリ30へ、選択的に電力を配信するように構成され、配置されている。ある実施形態では、駆動制御34はまた、電力調整またはモード制御ボタン38（図9参照）を含むこともでき、それは、プログラムされたマイクロコントローラまたはプロセッサ等の回路を制御するように結合され、それは、駆動モーターアセンブリ30への電力の配信を制御するように構成されている。ある実施形態での駆動モーターアセンブリ30は、電気的な駆動モーター40を含み、それは、駆動軸または電機子を介して、ブラシヘッド20等の取り付けられたヘッドを駆動する。
【００３７】
ブラシヘッド20がヘッド取付部28に装着されると、駆動モーターアセンブリ30は、ブラシヘッド20に運動を付与するように構成される。駆動モーターアセンブリ30は、角質除去するブラシヘッド20を音波の周波数（一般的には40から350Hzの範囲）で動作させ、3から45度の範囲または振幅内で、ブラシヘッド20を前後に振動させるように構成することができる。
ある実施形態では、以下でより詳細に説明するが、ブラシヘッド20は、約80Hzから約220Hzの周波数および、約6度から約20度の範囲または振幅内、という負荷条件または無負荷条件で動かすことができる。
駆動モーターアセンブリ30によって、ブラシヘッド20に付与される動作周波数と振動振幅を、変化できることが理解されるであろう。それは、ブラシヘッドにおける、意図された用途および／または特徴（慣性の特性等）に、部分的に依存して変化するものである。
【００３８】
以下に、より詳細に説明するように、器具22は、予め選択された量の電力または半径方向の角振動を、ブラシヘッド20の毛に与えることができる。
上記で簡潔に述べたように、ブラシヘッド20の振動の動きは、毛の特性に関連しており、それにより、少なくともいくつかの毛先は「3次元動作」での動きを生じることができる。この点に関して、器具22の振動駆動モーターの電力および／または周波数は、ある実施形態では、房当たりの少なくとも一つの毛、その他の実施形態では、房当たりの大多数またはほぼ全部の毛を曲げるのに十分な角度変位を生成することができる。これが生じると、毛の自由端又は先端の動きによって、見かけのZ軸方向の距離は、図8Aから図8Bに示されるように、短縮される。このように、毛先（複数可）は、房内または房間にある、毛または毛のグループにおける曲がりから生じる3次元的な特性を前提としている。したがって、フィラメントの房内、房全体、または房のグループ、およびそれらの変形での、単一の毛、毛のグループにおける、Z軸方向の距離が短縮されることは、本明細書では「3次元動作」と呼ばれる。上記で簡単に述べたように、3次元動作の量または程度は、毛毎に、房毎等により変化し、それによって、3次元動作のタイプが、全体としてブラシに提供されることができる。
【００３９】
図2から図4を参照すると、ブラシヘッド20の一例は、より詳細に説明されている。図2および図4に最もよく示されているように、ブラシヘッド20は、移動可能な本体44を含み、それは、第一または内側端50において、駆動モーターアセンブリ30の駆動軸または電機子への直接的または間接的なインターフェースとして構成されている。示されている本実施形態において、他の幾何学的断面（例えば、三角形、楕円形、小葉、正方形など）を用いてもよいが、本体は、ほぼ円筒形の断面を有す。本体44は、ナイロン、ポリプロピレン、ポリウレタン、ポリエチレンなどのプラスチックから構成することができ、アルミニウム、チタンなどのような軽量金属を含む他の材料を利用してもよい。
【００４０】
ブラシヘッド20は、本体48の第二または外側端62、つまり反対側に配置された複数の房58および60を含む。房58および60は互いに離間しており、複数（例えば、40から180）の毛64および66それぞれを有する。毛64は、本体48のブラシ面または外面68から上方に伸びている。房58および60は、同じ高さにすることができ、それゆえ、毛先が、同じ面（すなわち、同一平面）に揃えることができる。他の実施形態では、房58と60は、異なる高さにすることができ、それゆえ、毛64および66の毛先が異なる面（すなわち、非同一平面）に揃えることができる。例えば、示される実施形態において、ブラシヘッド20は、第一面に毛先を有する房58のグループと、第二面（異なる面）に毛先を有する房60のグループを含む。
【００４１】
上で簡単に述べたように、ブラシヘッド20は、様々な高さの房（例えば、図2から図4の房58および60）を含むことができる。ある実施形態で、房の高さ間の差は、約0.040インチ（1.016ミリメーター）から0.375インチ（9.525ミリメータ）の間である。ある実施形態で、様々な高さの房は、（図5、図6Aから6Bおよび7Bの例に示されているように）平坦でない外面68'または68''に逆立てられている、一定の長さの毛58'によって実現されることができる。例えば、平坦でない外面68'は、（図5と6Aに示される最良の形態のように）滑らかな曲線で形成された、様々な山と谷を備えることができる。（図7Bに示されているように）平坦でない外面68''は、段差があってもよい。3次元の幾何学的なブラシ土台に逆立てられている房が同じ長さの毛を持っているので、房の毛先は、揉む動作またはマッサージする動作となる上下の動きを生じることだろう。それは、振動または回転時に生じ、それによって、ブラシの3次元動作を示す。もちろん、代表的なブラシヘッドにおける平坦でない面を持つ土台の表面68'、68''は、異なる長さの毛を用いてもよく、平面となる先端部を有する一つまたは複数の房70を作成できる（最良のものを図7Cに示す）。つまり、これら又は他の実施形態で、各房又は房のグループにおける3次元動作を向上するために、意図される用途に応じて、毛における1つまたは複数の他の特徴（例えば、直径、材料など）を毛毎、房毎に、変更することができることを理解されたい。
【００４２】
他の実施形態では、一定の長さの毛を有する平坦でない表面を用いる代わりに、房58と68の様々な高さは、平坦な面又は表面68'''と、異なる長さを有する毛との、組み合わせによって実現することができる（最良のものを図7Aに示す）。例えば、ブッシュヘッドの毛は、どの房が皮膚と接触しているかに応じて、積極性がより多く又はより少なく感じるように、複数の高さにトリミングされる。繰り返すが、一つまたは複数の他の特徴（例えば、直径、材料、等）は、各房又は房のグループの3次元動作を向上するために、その用途に応じて、これらの、又は他の実施形態において変更することができることは理解されるであろう。
【００４３】
本開示における、ある実施形態では、房の毛は、約0.20インチ（5.08ミリメートル）から約1.2インチ（30.48ミリメートル）またはそれ以上の長さと、約0.003インチ（0.0762ミリメートル）から約0.020インチ（0.508ミリメートル）またはそれ以上の範囲の直径を有する。毛は、ポリマーおよびコポリマーなど、様々な材料から構成される。ある実施形態では、毛は、DuPont Crastin(登録商標)等のポリブチレンテレフタレート（PBT）、DuPont Rynite(登録商標)等のポリエチレンテレフタレート（PET）、DuPont Zytrel(登録商標)等の異なるブレンドのナイロン、ポリエステル、熱可塑性エラストマー（TPE）、共押出エラストマー、ポリプロピレン、DuPont Bynel(登録商標)等のポリエチレン、これらの組み合わせもしくは混合物から構成される。ある実施形態で、毛は、長方形、ひし形、中空、矩形、X字状、四葉状の物などの断面を含むが、それに限定されない。さらに、毛の延びている方向の外側の表面は、捲縮または波状、またはコブまたはその他のテクスチャリングができる。また、毛は、ある実施形態において、抗微生物剤で処理してもよく、または、銀ゼオライト、亜鉛、銅、金、等、または他の有機添加剤など、抗菌性物質でコーティングまたは配合してもよい。一つまたは複数の毛における端仕上げは、また、触った感触及び角質除去の特性を提供するために変化させることができ、そのうちいくつかは、滑らかな研磨端で丸まっており、表面テクスチャリング、テーパー状（先細り）、単なる切断端、スピリット（引裂き）、または柔らかいエラストマー等であってもよい。
【００４４】
単一の毛における3次元動作について図8Aから8Bを参照して、より詳細に説明する。図8Aから8Bは、1方向で6度、又は、概して全体で約12度の回転で、最も外側の半径で振動しているブラシの単一の毛を示している。例えば、振動しているブラシの個々の房は、方向づけされた駆動による急激な変化に供され、一つまたは複数の毛（すなわち、フィラメント）は、図8Aに示されるように、曲がる。これは、毛の遠位自由端又は毛先と、毛の固定された近位端との間の、Z軸方向の距離（すなわち、Z軸に沿った距離）をもたらし、その振動サイクルの間、屈曲または曲がりに起因して変化する。このように、毛の遠位先端部は、静止または休止状態で、対応する固定された近位端からの距離Z1で始まり、
毛がブラシヘッドの振動に起因して曲がるので、毛の遠位先端部のZ軸方向の距離は、距離Z2に短縮される。
一般的には、距離Z1は、毛の長さにほぼ等しい。言い換えると、毛の静止状態と比較して、振動した時の、毛先とその対応する固定された近位端部との間のZ軸方向の距離における違いは、短縮されたZ軸方向の距離（Z1―Z2またはデルタZ）と呼ばれることができ、図8AでのYで示される。
【００４５】
房に加えられる慣性的な曲がる力が、軸の周りに振動しているブラシから生じる場合、慣性的な曲がる力は、ブラシの土台上の房の位置に対して、モーター駆動の回転、振動周波数、および偏差角度、の中心から離れるにつれて、r-シータ位置の直接的な関係を持っている。
あるブラシにとって、本発明の代表的なブラシヘッドは、ブラシが完全に回転または振動する場合に、3次元動作を提供する。
【００４６】
本開示の代表的なブラシヘッドでは、3次元動作は、毛の長さの関数（すなわち、短縮されるZ軸方向の距離／毛の長さ）として、本明細書に記載され、それは、おおよそ0.03またはそれ以上である。例えば、本開示の実施形態において、短縮されるZ軸方向の距離Yは、一般的に、0.005インチ（0.127ミリメートル）より長く、約0.08インチ（2.032ミリメートル）未満であり、毛の長さは、一般的に約0.20インチ（5.08ミリメートル）より長く、約1.20インチ（30.48ミリメートル）未満である。他の実施形態では、短縮されるZ軸方向の距離Yは、約0.08インチ(2.032ミリメートル)より長く、毛の長さは、約1.20インチ（30.48ミリメートル）より長い。
【００４７】
異なる長さの毛を、6度で振動し、その結果として得られた、短縮されたZ軸方向の距離Y（図8A参照）について、一例として、表１に示される。以下の仮定に基づくと、表１での結果にたどり着く。
ストランドの先端でのたわみは、ストランドの長さに関わらず一定である。
共振運動の慣性効果は、モデルから除外した。
分析は、ストランドの厚さ、または曲げの弾性率を考慮しないで、ストランドの中心線を想定している。
ストランドは、土台に固定され、ストランドの土台に垂直のままである。
2016522061.tif 000003
【００４８】
図11は、振動モーターにより動かされる単一の毛に加えられた力に対しての毛の寸法における影響を示す。具体的には、直径が0.003インチ（0.762ミリメートル）から0.005インチ（1.27ミリメートル）に増加するにつれて、加えられる力も増加する。本開示又は他の実施形態は、ブラシヘッドが皮膚に優しく保持されるように、80グラムから150グラムの範囲（一般的には約110グラム）で加えられる力で、皮膚に3次元動作を提供することができる。伝統的に、毛先の効果は、皮膚の表面に対して接線方向であり、表皮における優しい伸張および圧縮を提供する。
【００４９】
図2から図4を再度みると、ブラシヘッド20は、さらに、任意の外側保持器76を含む。外側保持器76は、中央、円筒状の開口部78を含む。開口部78は、可動中央部44の側面を囲むようなサイズにされ、および、構成される。器具22に取り付けされた場合、中央の開口部78の上位周辺に延びたリム80は、本体48の外側に向いた面、と同じ高さ又は、わずか上に位置している。
【００５０】
ある実施形態では、中央部44及び外側保持器76が、取り付けシステムに、共に備えられ、それは、ブラシヘッド20の選択的な取り付け具を、パーソナルケア器具22のヘッド取付部28に提供するように構成される。取り付けシステムによって、パーソナルケア器具22が取り付けられた場合、次の処理が行われる。
（1）可動中央部44は、動作可能となるように、例えば、駆動用ボス52を介して駆動モーターアセンブリ30に接続され、そこに振動運動を提供するように、接続されている。
（2）外側保持器76は、器具22のヘッド取付部28にブラシヘッド20をしっかりと固定する。
したがって、ある実施形態での取り付けシステムにより、パーソナルケア用品22にブラシヘッド20を着脱する、迅速かつ容易な技術を提供できる。
取り付けシステムにより、他のパーソナルケアヘッドを器具に取り付けられ、および、（希望した場合）交換用の角質除去ブラシヘッド20を器具に取り付けられることが可能であることを理解されたい。
【００５１】
任意の取り付けシステムは、パーソナルケア用品（器具22等）にブラシヘッド20を選択的に取り付けるように、ツール化された技術又はツールレス技術を提供するために使用することができることは理解されるであろう。
以下の方法で提供される。
（１）中央部44に振動運動を提供する
（２）中央部44と、駆動モーターアセンブリ30との間の接続を維持する
例えば、ある実施形態では、中央部44は、結合インターフェースを含み、それは、関連する駆動モーターアセンブリ30における、振動する駆動軸または電機子（電機子42等）が協働して接続されるように構成されており、それは、中央部44に振動運動を伝達する方法で接続されており、一方、中央部40にしっかりと固定されている。このように、保持器76は、ブラシヘッド20における実施形態のいくつかある利点を提供でき、それはオプションであることが理解されるべきであり、したがって、所望であれば、それは省略できる。
【００５２】
ブラシヘッド20の上記の例は、被験体の皮膚をクリーニング、マッサージ、および／または角質除去するために使用することができる。その点で、本明細書に開示される任意のブラシヘッドは、まず、パーソナルケア器具22に取り付けられる。次に、パーソナルケア器具22のスイッチを入れ、取り付けられたブラシヘッドは、約40から350Hzの範囲の音波の周波数で動かされ、ブラシヘッドを約3から45度の範囲内で前後に振動させる。
【００５３】
振動すると、ブラシヘッドは、顔と同様に、体の皮膚に対して適用される。皮膚が所望の程度で処理されると、ブラシヘッドは、皮膚から取り除かれ、器具22の電源は切られる。代わりに、器具22は、プログラムされた動作を経て、自動的に電源を切ることができる。
【００５４】
上述の動作の方法は、皮膚を柔らかくしようとする場合、スキンケア調合品を用い、又は用いないで、実行され、または、温水で皮膚を洗浄することができる。しかし、施術の前に、皮膚の範囲に、任意の調製物を適用することは、上に開示された方法の一部として使用することができる。
【００５５】
以下の点については、本開示の目的のために留意されるべきである。
このような「上」「下」「垂直」「水平」、「内向き」、「外向き」、「内側」、「外側」、「前方」、「後方」等の用語は、記述的なものとして解釈されるべきであり、特許請求の範囲を限定するものではない。
さらに、本明細書にある、「含む」、「備える」または「有する」およびその変形したものの使用は、その後に列挙される項目および、追加の項目と同様に、その均等物、を包含することを意味する。特に限定しない限り、本明細書中にある、用語「接続」、「結合」および「装着」、その他の変形は、広く使用され、接続、結合、装着を直接的および間接的に包含している。
【００５６】
本開示の、原理、代表的な実施形態、および動作モードは、前述の説明に記載されている。しかし、本開示の態様は、保護されることが意図されており、開示された特定の実施形態に限定されると解釈されるべきではない。さらに、本明細書に記載の実施形態は、限定的ではなく、例示的なものと見なされるべきである。他の人によってなされ得ることができる変形と変更、およびその均等物は、本開示の精神から逸脱することなく、用いられる。したがって、明示的に記載の全てのそのような変形、変更、および均等物は、請求項として、本開示の精神および範囲内に入ることが意図されている。
【図１】
2016522061.tif 000004
【図２】
2016522061.tif 000005
【図３】
2016522061.tif 000006
【図４】
2016522061.tif 000007
【図５】
2016522061.tif 000008
【図６Ａ】
2016522061.tif 000009
【図６Ｂ】
2016522061.tif 000010
【図７Ａ】
2016522061.tif 000011
【図７Ｂ】
2016522061.tif 000012
【図７Ｃ】
2016522061.tif 000013
【図８Ａ】
2016522061.tif 000014
【図８Ｂ】
2016522061.tif 000015
【図９】
2016522061.tif 000016
【図１０】
2016522061.tif 000017
【図１１】
2016522061.tif 000018
【図１２】
2016522061.tif 000019
【国際調査報告】
2016522061.tif 000020
2016522061.tif 000021